(57)【特許請求の範囲】
【請求項１】
ベースマット上に人工芝が植設された人工芝マットと、人工芝マットの上面側に張設されて、網目から前記人工芝マットの人工芝が上方に突出されたメッシュ地と、前記人工芝マットを横方向に移動させる複数の移動手段を備え、該移動手段によって前記人工芝マットが移動することで、該人工芝マットの芝目が前記メッシュ地によって変更可能となされており、更に、前記人工芝マットの下側に、該人工芝マットの下面に当接する受部と該受部を支持し、外周には雄ネジが形成された支柱部と前記受部の上面に設けられて、前記人工芝マットを横方向にスライドさせる多数のボールベアリングを備えた受部材と、地面に設置される台座部と該台座部の上面に立設され、前記受部材の支柱部外周の雄ネジと嵌合する雌ネジが内周に形成された筒状部を有する支持部材からなるスタンドを有し、該スタンドが人工芝マットの全体を支持するように該人工芝マットの下面側に複数配置され、スタンドの筒状部と前記受部材の支柱部とのネジ嵌合度合を変更することで前記受部材の受部を昇降させて、前記人工芝マットの全部または一部の高さ位置を変更可能とすることにより、人工芝マットのアンジュレーションが変更可能となされているグリーン高さ調整装置を有する、パッティング練習用グリーン装置。
【請求項２】
人工芝マットおよび該人工芝マットの上面に張設されたメッシュ地がいずれも円形であり、少なくともその中心角９０°ごとに移動手段が配設されている、請求項１記載のパッティング練習用グリーン装置。
【請求項３】
人工芝マットおよび該人工芝マットの上面に積層されたメッシュ地がいずれも方形であり、少なくともその各辺に移動手段が配設されている、請求項１記載のパッティング練習用グリーン装置。
【請求項４】
移動手段がシリンダである、請求項２または請求項３記載のパッティング練習用グリーン装置。
【請求項５】
各グリーン高さ調整装置の支持部材の筒状部と受部材の支柱部とのネジ嵌合度合の変更が、前記支柱部をモータで回動させることによって行われ、各モータの作動がコントローラによって、集中制御される、請求項１〜請求項４のうちのいずれか一項記載のパッティング練習用グリーン装置。
【請求項６】
グリーン高さ調整装置における受部材の受部が、その角度調整手段を有する、請求項１〜請求項５のうちのいずれか一項記載のパッティング練習用グリーン装置。
【発明の詳細な説明】
【技術分野】
【０００１】
本発明は、ゴルフにおけるグリーン上でのパッティングを練習するためのパッティング練習用グリーン装置に関する。
【背景技術】
【０００２】
一般に、ゴルフにおけるグリーン上でのパッティングを練習するためのパッティング練習用グリーン装置は、全体が横長のマット本体の上面に人工芝が植設され、マット本体の一端寄り部分に上り傾斜面が形成され、該上り傾斜面から一端にかけてフラット面が形成され、該フラット面にカップが設けられている。
【０００３】
また、前述したような構造のパッティング練習用グリーン装置において、カップ後方とパッティングを行う側との間でカップ中心を通る糸を傾斜させて張り、該糸におけるパットを行う側の箇所に垂直となる下げ振りを垂下させて、練習者が、前記下げ振りを真上から見てマット本体に表示された基準線等に基づいて、パッティングを行うものが知られている。
【０００４】
この他、横長のマット本体を横断するように、針金等の線材を間隔をあけて多数架設して該線材の両端部分に該線材の撓み具合を調整する締め付け調整部を設けて、マット本体のアンジュレーションを変更自在としたパッティング練習用グリーン装置も知られている。
【先行技術文献】
【特許文献】
【０００５】
【特許文献１】特開２０１４−０１４６３６
【特許文献２】実用新案登録第３０６３９５９号公報
【発明の概要】
【発明が解決しようとする課題】
【０００６】
前述した従来例のうち、前者のパッティング練習用グリーン装置は、パッティングの際の練習者のアドレスを矯正するためのものであって、マット本体の傾斜や芝目を変更することはできなかった。
【０００７】
また、前項で述べた後者のパッティング練習用グリーン装置は、マット本体の傾斜を変更できるものの、芝目の変更ができないものであった。また、前述した通り、マット本体の傾斜を変更するために、マット本体を横断するように、多数の針金等の線材を間隔をあけて多数架設し、該線材の両端部分に該線材の撓み具合を調整するための曲げ加工が必要になる等、製作作業および調整作業に多大な手間と時間を要するという問題があった。
【０００８】
本発明の目的は、人工芝マットの芝目とアンジュレーションの両方を容易に変更することができるパッティング練習用グリーン装置を提供することにある。
【課題を解決するための手段】
【０００９】
請求項１記載の本発明は、ベースマット上に人工芝が植設された人工芝マットと、人工芝マットの上面側に張設されて、網目から前記人工芝マットの人工芝が上方に突出されたメッシュ地と、前記人工芝マットを横方向に移動させる複数の移動手段を備え、該移動手段によって前記人工芝マットが移動することで、該人工芝マットの芝目が前記メッシュ地によって変更可能となされており、更に、前記人工芝マットの下側に、該人工芝マットの下面に当接する受部と該受部を支持し、外周には雄ネジが形成された支柱部と前記受部の上面に設けられて、前記人工芝マットを横方向にスライドさせる多数のボールベアリングを備えた受部材と、地面に設置される台座部と該台座部の上面に立設され、前記受部材の支柱部外周の雄ネジと嵌合する雌ネジが内周に形成された筒状部を有する支持部材からなるスタンドを有し、該スタンドが人工芝マットの全体を支持するように該人工芝マットの下面側に複数配置され、スタンドの筒状部と前記受部材の支柱部とのネジ嵌合度合を変更することで前記受部材の受部を昇降させて、前記人工芝マットの全部または一部の高さ位置を変更可能とすることにより、人工芝マットのアンジュレーションが変更可能となされているグリーン高さ調整装置を有するパッティング練習用グリーン装置である。
【００１０】
請求項２記載の本発明は、前記請求項１記載のパッティング練習用グリーン装置について、人工芝マットおよび該人工芝マットの上面に張設されたメッシュ地がいずれも円形であり、少なくともその中心角９０°ごとに移動手段が配設されているものである。
【００１１】
請求項３記載の本発明は、前記請求項１記載のパッティング練習用グリーン装置について、人工芝マットおよび該人工芝マットの上面に積層されたメッシュ地がいずれも方形であり、少なくともその各辺に移動手段が配設されているものである。
【００１２】
請求項４記載の本発明は、前記請求項２または請求項３記載のパッティング練習用グリーン装置について、移動手段がシリンダであることを特徴とする。
【００１３】
請求項５記載の本発明は、前記請求項１〜請求項４のうちのいずれか一項記載のパッティング練習用グリーン装置について、各グリーン高さ調整装置の支持部材の筒状部と受部材の支柱部とのネジ嵌合度合の変更が、前記支柱部をモータで回動させることによって行われ、各モータの作動がコントローラによって、集中制御されるようになされているものである。
【００１４】
請求項６記載の本発明は、前記請求項１〜請求項５のうちのいずれか一項記載のパッティング練習用グリーン装置について、グリーン高さ調整装置における受部材の受部が、その角度調整手段を有することを特徴とする。
【発明の効果】
【００１５】
請求項１記載の本発明に係るパッティング練習用グリーン装置によれば、人工芝マットをシリンダ等の移動手段によって、横方向に移動させるだけで前記人工芝マットの芝目を容易に変更することができ、また請求項３および請求項４記載のパッティング練習用グリーン装置では、人工芝マットの前後左右の四方からシリンダ等の移動手段を複合的に作動させることで、より複雑な芝目の変更が可能になるという実用的利点を有する。
【００１６】
請求項２記載の本発明は、前述したパッティング練習用グリーン装置について、更に前記人工芝マットを支持する複数のグリーン高さ調整装置を備え、これらのグリーン高さ調整装置における高さ位置を任意に変更することで、前述した芝目の変更と共に、グリーンのアンジュレーションも変更できるため、幅広いグリーン状態を演出することができるという格別の効果を有する。
【００１７】
また、請求項６記載の本発明に係るパッティング練習用グリーン装置によれば、人工芝マットを支持する複数のグリーン高さ調整装置によるグリーンの高さ位置を一括して簡単に制御できるため、使用者が望むアンジュレーションを容易に構成することが可能となる。
【００１８】
請求項７記載のパッティング練習用グリーン装置は、そのグリーン高さ調整装置における受部材の受部が、その角度調整手段を有するため、人工芝マットのアンジュレーションの凹凸により的確に対応して該人工芝マットを密接に支持し得るという利点を有する。
【図面の簡単な説明】
【００１９】
【図１】本発明の実施形態に係るパッティング練習用グリーン装置の平面図である。
【図２】同実施形態において、使用されるメッシュ地の平面図である。
【図３】人工芝マットにおける人工芝を省略したベースマット上のメッシュの斜視図である。
【図４】人工芝マットとメッシュ地との関係を示す正面図であって、人工芝が直立状態である。
【図５】人工芝マットとメッシュ地との関係を示す正面図であって、人工芝が傾斜した状態である。
【図６】本発明の実施形態に係るグリーン高さ調整装置の斜視図である。
【図７】図６のグリーン高さ調整装置の使用例を示す断面図である。
【図８】受部材における受部と支柱部との角度変更手段の一例を示す断面図である。
【図９】スタンド下部における電動モータの駆動機構の一例を示す腰部断面図である。
【図１０】人工芝マットのアンジュレーション変更の状態を示す断面図である。
【発明を実施するための形態】
【００２０】
次に、本発明の実施形態を図面にしたがって説明するが、本発明はかかる実施形態に限定されるものではない。
【００２１】
図１〜図５に示すように、本実施形態に係るパッティング練習用グリーン装置は、ベースマット２上に人工芝３が植設された人工芝マット１と、人工芝マット１の上面側に張設されて、網目５から前記人工芝マット１の人工芝３が上方に突出されたメッシュ地６と、前記人工芝マット１を横方向に移動させる複数の移動手段としてのシリンダ７Ａ〜７Ｄを備えている。
【００２２】
なお、図中１０は前記メッシュ地６を張設するためのフレームであり、またＣＰは当該パッティング練習用グリーン装置の任意の位置に形成されるカップを示す。
【００２３】
本実施形態では、人工芝マット１および該人工芝マット１の上面に張設されたメッシュ地６がいずれも円形であり、少なくともその中心角９０°ごとに前記シリンダ７Ａ〜７Ｄが配置されている。そして、シリンダ７Ａ〜７Ｄのいずれかによって人工芝マット１が移動することで、該人工芝マット１の芝目が前記メッシュ地６によって変更可能となされている。また、前記シリンダ７Ａ〜７Ｄは、更に増設されることもあり、隣り合うシリンダの中間位置にも更に同様のシリンダを設置して該シリンダが中心角４５°ごとに設けられる場合もある。この他、前記メッシュ地６を張設するためのフレーム１０はメッシュ地６を囲むようにリング状となされている。
【００２４】
図１、図４および図５に示すように、例えば人工芝マット１のベースマット２をシリンダ７Ｂによって左方向へ移動させることで、人工芝マット１の人工芝３は、メッシュ地６によって、移動が規制されているために、その人工芝３が図４の直立状態から図５の右方向へ傾斜した芝目に変更される。また、シリンダ７Ｂによって、人工芝マット１のベースマット２を右方向へ移動させることで、人工芝マット１の人工芝３は、その人工芝３が図４の直立状態から左方向へ傾斜した芝目に変更される。
【００２５】
上述した人工芝マット１の人工芝３の芝目変更は、シリンダ７Ａやシリンダ７ｃによっても同様に行われ、これらシリンダ７Ａや７ｃによって、前方向または後方向への人工芝３の芝目変更が行われる。更に、シリンダ７Ａとシリンダ７Ｂ、またはシリンダ７Ｂとシリンダ７Ｃといった互いに隣り合うシリンダ７Ａ〜７Ｄを同時に作動させることで、上述したような人工芝マット１の人工芝３の芝目変更が複合的に行われることとなり、その結果、より複雑に変化した芝目が形成されて、より難易度の高いパッティング練習を行うこともできる。
【００２６】
なお、前述した実施形態では、人工芝マット１および該人工芝マット１の上面に積層されたメッシュ地６を円形として、少なくともその中心角９０°ごとに前記シリンダ７Ａ〜７Ｄが配置されている構成としたが、本発明はこのような形状に限定されず、人工芝マット１および該人工芝マット１の上面に張設されたメッシュ地６がいずれも方形であり、少なくともその各辺に移動手段としてのシリンダ７Ａ〜７Ｄが配設されるような構成とする場合もある。また、この際、メッシュ地６を張設するフレーム１０も方形枠状となる。
【００２７】
更に、図１、図６および図７に示すように、本実施形態に係るパッティング練習用グリーン装置は、後述するグリーン高さ調整装置を有する。
【００２８】
すなわち、本実施形態に係るグリーン高さ調整装置９は、前記人工芝マット１の下側に設置されるものであって、人工芝マット１の下面に当接する受部１２と該受部１２を支持し、外周には雄ネジ１３ａが形成された支柱部１３と前記受部１２の上面に設けられて、前記人工芝マット１を横方向にスライドさせる多数のボールベアリング１４を備えた受部材１１と、地面に設置される台座部３２と該台座部３２の上面に立設され、前記受部材１１の支柱部１３外周の雄ネジ１３ａと嵌合する雌ネジ１５ａが内周に形成された筒状部１５を有する支持部材１６からなるスタンド３０を有している。
【００２９】
本実施形態では、地面Ｇに当該パッティング練習用グリーン装置をセッティングするための凹所Ｓ１を形成したが、このような凹所Ｓ１を有する地面Ｇに代わる人工的な練習ステージ（合成樹脂製等）を別途、製作する場合もある。
【００３０】
また、図８に示すように、前記受部材１１における受部１２は、例えばボールジョイントやユニバーサルジョイント等の角度変更手段３３を介して支柱部１３と連結することで、角度変更自在とする場合もある。
【００３１】
そして、前述した通り、グリーン高さ調整装置９は、前記人工芝マット１全体を支持するように該人工芝マット１の下面側に複数配置され、スタンド３０の筒状部１５と前記受部材１１の支柱部１３とのネジ嵌合度合を変更することで前記受部材１１の受部１２を昇降させて、前記人工芝マット１の全部または一部の高さ位置を上下させることにより、人工芝マット１のアンジュレーションが変更可能となされているものである。
【００３２】
以上述べたグリーン高さ調整装置９は、手動で受部材１１を回して該受部材１１の支持部１３とスタンド３０の筒状部１５との嵌合度合を変更しても良いし、後述する電動機構によって、受部材１１の支持部１３とスタンド３０の筒状部１５との嵌合度合を変更する場合もある。
【００３３】
すなわち、図９および図１０に示すように、前記グリーン高さ調整装置９において、スタンド３０の筒状部１５と受部材１１の支柱部１３とのネジ嵌合度合を電動で変更する実施形態について説明すると、例えば受部材１１の支柱部１３の下部と電動モータＭの駆動軸ＭＳの端部に互いに噛合する一対のベベルギア１７Ａ・１７Ｂを装着して電動モータＭを正逆回転させることで最終的に受部材１１の受部１２が電動で昇降するようにし、また各グリーン高さ調整装置９における前記電動モータＭの駆動を制御モジュールが内蔵された一つのコントローラ（図示せず）で集中制御する場合もある。なお、図中３４はベアリングを示す。
【産業上の利用可能性】
【００３４】
本発明に係るパッティング練習用グリーン装置は、前述した通り、人工芝マットをシリンダ等の移動手段によって、横方向に移動させることで、人工芝マットの芝目を変更
することができ、またグリーン高さ調整装置によって、人工芝マットの高さ位置を変更することでグリーンのアンジュレーションも変更可能であるため、ゴルフ練習機の分野で幅広い利用が期待できる。
【符号の説明】
【００３５】
１  人工芝マット
２  ベースマット
３  人工芝
５  芝目
６  メッシュ地
７Ａ〜７Ｄ  シリンダ
９  グリーン高さ調整装置
１１  受部材
１２  受部
１３  支柱部
１３ａ  雄ネジ
１４  ボールベアリング
１５  筒状部
１５ａ  雌ネジ
１６  支持部材
【要約】
【課題】  人工芝マットの芝目とアンジュレーションの両方を容易に変更することができるようにする。
【解決手段】  ベースマット２上に人工芝３が植設された人工芝マット１と、人工芝マット１の上面側に張設されて、網目５から前記人工芝マット１の人工芝３が上方に突出されたメッシュ地６と、前記人工芝マット１を横方向に移動させる複数の移動手段としてのシリンダ７Ａ〜７Ｄ等を備えており、また人工芝マット１の下側には、前記人工芝マット１の高さ位置を変更するグリーン高さ調整装置９が複数設置されて、グリーンのアンジュレーションも変更可能となされている。
【選択図】  図１【図１】
0006846026.tif 000002
【図２】
0006846026.tif 000003
【図３】
0006846026.tif 000004
【図４】
0006846026.tif 000005
【図５】
0006846026.tif 000006
【図６】
0006846026.tif 000007
【図７】
0006846026.tif 000008
【図８】
0006846026.tif 000009
【図９】
0006846026.tif 000010
【図１０】
0006846026.tif 000011